(57)【特許請求の範囲】
【請求項１】
カード収納部と、このカード収納部に接して平行に配置されたカード一時保留部と、このカード一時保留部に収納されたカードを前記カード収納部に移動させる収納手段と、前記カード一時保留部の延長線上に隣接して配置され、カードに対して書き込みと読み取りを行うリードライト部と、このリードライト部に対してカードを挿入排出するための挿入口と、カードを搬送する搬送手段とを同一筐体内に配置して成り、前記カード収納部は前記収納されたカードを前記カード一時保留部側へ押圧する押圧手段を備えたカード発行装置。
【請求項２】
搬送手段は、カードの挿入口からリードライト部までを分担する第１の搬送手段と、前記リードライト部からカード一時保留部への送り込みを担当する第２の搬送手段と、カード収納部から前記リードライト部への送り出しを担当する第３の搬送手段とから構成され、前記第２の搬送手段と前記第３の搬送手段とを機構要素で接続した請求項１記載のカード発行装置。
【請求項３】
第２の搬送手段と第３の搬送手段とは往復運動する爪とした請求項２記載のカード発行装置。
【請求項４】
第２の搬送手段に、その往復運動範囲の最も挿入口寄りの位置でリードライト部のカード搬送通路から外に退避する機構を設けた請求項３記載のカード発行装置。
【請求項５】
第２の搬送手段と第３の搬送手段とを接続する機構要素にエスケープ機構を設け、前記第２の搬送手段がその往復運動範囲の最も挿入口寄りの位置で停止し、前記第３の搬送手段の動作によって前記第２の搬送手段が移動しない動作領域を設けた請求項３記載のカード発行装置。
【請求項６】
第３の搬送手段を、その往復運動範囲の最もカード挿入口寄りの位置から、全ストロークの５％から５０％行き過ぎた場所で停止させる制御手段を備えた請求項３から５のいずれか一つに記載のカード発行装置。
【請求項７】
第３の搬送手段が、その往復運動範囲の最もカード挿入口寄りの位置で、カード挿入口と反対の方向に全ストロークの５％から５０％のバックラッシを有する構造とした請求項３から５のいずれか一つに記載のカード発行装置。
【請求項８】
収納手段はカード一時保留部とカード収納部の間を往復運動する収納スライダと、この収納スライダに摺動可能に連結されたカード保持爪とを備え、前記カード保持爪は前記カード一時保留部から前記カード収納部へ向かう行程では常にカード外形より内側に突出しており、前記往復運動の前記カード収納部から前記カード一時保留部へ向かう行程では、一時的にカード外形から外側に退避させるカム動作機構に連結された請求項１記載のカード発行装置。
【請求項９】
カム動作機構の一部を形成するブロックカムはカード保持爪に設けられた第１のカム面に当接して、カード保持爪を摺動させることにより、前記カード保持爪をカード外形より外側に退避させる第２のカム面と、前記カード保持爪が前記カード収納部から前記カード一時保留部へ向かう行程において、収納スライダに設けられた第３のカム面に当接し、前記カード保持爪から退避する第４のカム面とを備えた請求項８記載のカード発行装置。
【請求項１０】
カム動作機構の一部を形成するフォークガイドはカード保持爪に設けられた第１のカム面に当接して、カード保持爪を摺動させることにより、前記カード保持爪をカード外形より外側に退避させる第２のカム面と、前記カード保持爪が前記カード一時保留部から前記カード収納部へ向かう行程において、軸を中心にして回動する掛爪を有する請求項８記載のカード発行装置。
【請求項１１】
収納部はカード収納箱と取付枠から成り、前記カード収納箱と前記取付枠は着脱可能な結合手段を用いて結合されていることを特徴とする請求項１から８のいずれか一つに記載のカード発行装置。
【請求項１２】
収納手段と、第２の搬送手段及び第３の搬送手段とを、共通の駆動源にて切替駆動する請求項１から１１のいずれか一つに記載のカード発行装置。
【発明の詳細な説明】
【０００１】
【発明の属する技術分野】
本発明は、主として遊技機器に接続して使用されるカード発行装置に関するものである。
【０００２】
【従来の技術】
パチンコ店などの遊技場にて、パチンコ玉やゲームコインやトークンの類を貸し出す際に、現金支払の代わりにカードを用いて精算するシステムが各種提案されている。例えば、特定用途のプリペイドカードとして金券のごとく扱うものや、貸出残高をカードに記録して窓口精算の際の預り証とするものや、カード自体には残高を記録せず、店舗のホストコンピュータに設けた口座に残高を記録し、カードはその口座にアクセスするためのＩＤコードを持つものなどである。
【０００３】
いずれの場合にも遊技台に近接した位置にカードの販売機ないし発行装置を設置して客の利便を図ることが必要になる。具体的な提案として、パチンコ店用のカードシステムとしては、特開平５−２１２１４８号公報、特開平９−８１８４０号公報、特開平１０−１３４２３０号公報、特開平１０−２０３７３９号公報などがある。
【０００４】
【発明が解決しようとする課題】
しかしながら従来のカードシステムはその想定するカードリーダーライタないしカード発行装置の機構的制約から、必ずしも店と客の要求を十全に満たすものではなかった。遊技台の台間に設置するカード発行装置において、カード切れを防ぐために収納枚数を多くすると上下方向にカードを積層することとなり、この場合のカード発行装置の幅は８０ｍｍ程度で従来の現金専用システムの４０ｍｍよりも幅広となり、店舗の面積効率を低下させる。
【０００５】
また、カードを縦向きに挿入するシステムにおいては、カード補給手段がないと収納枚数を十分に確保できず、カード切れを起こす確率が高くなり、その都度カード補充を行うため、店にも客にも機会損失が発生する。これを補うためにカードの回収／配送装置を台の背後に設置する提案もあるが、この回収／配送装置はカードの配送コンベアなど大規模な設備を要するものであった。
【０００６】
本発明はこのような問題点を解決するもので、台間４０ｍｍの寸法内で実用性の高いカード収納枚数とカード回収機能を併せて実現することを目的としたものである。
【０００７】
【課題を解決するための手段】
上記目的を達成するため、本発明のカード発行装置は、カード収納部と、このカード収納部に接して平行に配置されたカード一時保留部と、このカード一時保留部に収納されたカードを前記カード収納部に移動させる収納手段と、前記カード一時保留部の延長線上に隣接して配置され、カードに対して書き込みと読み取りを行うリードライト部と、このリードライト部に対してカードを挿入排出するための挿入口と、カードを搬送する搬送手段とを同一筐体内に配置して成り、前記カード収納部は積層したカードを前記カード一時保留部側へ押圧する押圧手段を備えた構造としたものであり、台間で縦向きにカードを挿入排出する形のカード発行装置においても、実用上十分な枚数のカードを安定した状態で収納、保留し、新規発行や再利用に供することを可能にするものである。
【０００８】
【発明の実施の形態】
本発明の請求項１に記載の発明は、カード収納部と、このカード収納部に接して平行に配置されたカード一時保留部と、このカード一時保留部に収納されたカードを前記カード収納部に移動させる収納手段と、カード一時保留部の延長線上に隣接して配置され、カードに対して書き込みと読み取りを行うリードライト部と、このリードライト部に対してカードを挿入排出するための挿入口と、カードを搬送するカード搬送手段とを同一筐体内に配置して成り、カード収納部は積層したカードを前記カード一時保留手段側へ押圧手段を備えたカード発行装置であり、台間で縦にカードを挿入排出する形のカード発行装置においても、押圧手段を有しているので、実用上十分な枚数のカードを安定した状態で収納、保留し、新規発行や再利用に供することを可能にするものである。
【０００９】
本発明の請求項２に記載の発明は、カード搬送手段を、カードの挿入口からリードライト部までを分担する第１の搬送手段と、リードライト部からカード一時保留部での送り込みを担当する第２の搬送手段と、カード収納部からリードライト部への送り出しを担当する第３の搬送手段とから構成され、前記第２の搬送手段と前記第３の搬送手段とを機構要素で接続した請求項１記載のカード発行装置としたものであり、薄型で短いスペース内に収納、保留、発行のための搬送手段を配置することが可能になる。
【００１０】
本発明の請求項３に記載の発明は、第２の搬送手段と第３の搬送手段を往復運動する爪とした構造であり、特に薄型のカード発行装置を実現するものである。
【００１１】
本発明の請求項４に記載の発明は、第２の搬送手段に、その往復運動範囲の最も挿入口寄りの位置でリードライト部のカード通路から外に退避する機構を設けた請求項３記載のカード発行装置としたものであり、大がかりな通路切替を行わずに、小型の構造物の中で収納、保留、発行を行うことを可能にするものである。
【００１２】
本発明の請求項５に記載の発明は、第２の搬送手段と第３の搬送手段とを接続する機構要素にエスケープ機構を設け、第２の搬送手段がその往復運動範囲の最も挿入口寄りの位置で停止し、第３の搬送手段の動作によって第２の搬送手段が移動しない動作領域を設けた請求項３記載のカード発行装置としたものであり、請求項４に記載した第２の搬送手段の退避機構が停止位置のばらつきにより不安定な動作に陥ることを防止する効果がある。
【００１３】
本発明の請求項６に記載の発明は、第３の搬送手段をその往復運動範囲の最も挿入口寄りの位置から、全ストロークの５％から５０％行き過ぎた場所で停止させる制御手段を備えた請求項３から５のいずれか一つに記載のカード発行装置としたものであり、カードの収納動作を第１から第３の搬送手段のいずれにも無理な負荷をかけることなく円滑な動作にて行うことを可能にするものである。
【００１４】
本発明の請求項７に記載の発明は、第３の搬送手段が、その往復運動範囲の最も挿入口寄りの位置で挿入口と反対の方向に全ストロークの５％から５０％のバックラッシを有する構造とした請求項３から５のいずれか一つに記載のカード発行装置としたものであり、簡単な制御方法でカードの収納動作を第１から第３の搬送手段のいずれにも無理な負荷をかけることなく円滑な動作にて行うことを可能にするものである。
【００１５】
本発明の請求項８に記載の発明は、収納手段はカード一時保留部とカード収納部の間を往復運動する収納スライダと、この収納スライダに摺動可能に連結されたカード保持爪とを備え、前記カード保持爪は前記カード一時保留部から前記カード収納部へ向かう行程では常にカード外形より内側に突出しており、前記往復運動の前記カード収納部から前記カード一時保留部へ向かう行程では、一時的にカード外形から外側に退避させるカム動作機構に連結された請求項１記載のカード発行装置としたものであり、カード外形から外側に爪が退避するので、小型でカードに傷を付けることなく収納動作を可能にするものである。
【００１６】
本発明の請求項９に記載の発明は、カム動作機構の一部を形成するブロックカムはカード保持爪に設けられた第１のカム面に当接して、カード保持爪を摺動させることにより、前記カード保持爪をカード外形より外側に退避させる第２のカム面と、前記カード保持爪が前記カード収納部から前記カード一時保留部へ向かう行程において、収納スライダに設けられた第３のカム面に当接し、前記カード保持爪から退避する第４のカム面とを備えた請求項８記載のカード発行装置としたものであり、カム構造による円滑な動作を可能にするものである。
【００１７】
本発明の請求項１０に記載の発明は、カム動作機構の一部を形成するフォークガイドはカード保持爪に設けられた第１のカム面に当接して、カード保持爪を摺動させることにより、前記カード保持爪をカード外形より外側に退避させる第２のカム面と、前記カード保持爪が前記カード一時保留部から前記カード収納部へ向かう行程において、軸を中心にして回動する掛爪を有する請求項８記載のカード発行装置としたものであり、カム構造による円滑な動作および回動運動による省力化を可能にしたものである。
【００１８】
本発明の請求項１１に記載の発明は、カード収納部はカード収納箱と取付枠から成り、前記カード収納箱と前記取付枠は着脱可能な結合手段を用いて結合されていることを特徴とする請求項１から８のいずれか一つに記載のカード発行装置としたものであり、必要に応じて筐体からカード収納箱を取り外し、容易にカード一括取出や一括補給を行うことを可能とするものである。
【００１９】
本発明の請求項１２に記載の発明は、収納手段と、第２の搬送手段及び第３の搬送手段とを、共通の駆動源にて切替駆動する請求項１から１１のいずれか一つに記載のカード発行装置としたものであり、大型で高価な駆動源を集約して削減し、台間に収納するための薄型で小さなカード発行装置を実現するものである。
【００２０】
（実施の形態１）
以下、本発明の実施の形態１について図１及び図２を用いて説明する。図１は本発明の実施の形態１におけるカード発行装置を台間に取付けた状態で上面から見た概略構成を示す。なお、この実施の形態は非接触ＩＣカードの発行装置であるが、本発明の趣旨を同じくして磁気カード発行装置とすることも可能である。
【００２１】
図１にてカード発行装置の筐体１には、向かって右側の接客面側にカードの挿入口２と、それに続くカード搬送通路３が形成されている。カードの挿入口２の奥には第１の搬送手段４（この場合はタイミングベルト）と、それに対向する第１の押さえローラー５及び第２の押さえローラー６が配設されている。
【００２２】
同じく第１の搬送手段であるタイミングベルト４に対向して非接触ＩＣカードに対するリードライト部７（この場合はループコイルアンテナ）が配される。
【００２３】
カード搬送通路３のリードライト部７に続く部分はカード一時保留部８となる。カード一時保留部８の入口には第２の搬送手段９があり、カード一時保留部８の奥には第３の搬送手段１０がある。
【００２４】
カード一時保留部８に接するとともに平行にカード収納部１１が配設される。カード収納部１１は筐体１に形成された取付枠１２と着脱可能なカード収納箱１３から成り、カード収納箱１３の中にはカード１４が積層収納されている。カード１４はカード収納箱１３の中で、押圧手段１５（この場合は押さえばね）により押さえ板１６を介してカード一時保留部８側に押圧されている。
【００２５】
図２は本実施の形態のカード発行装置を接客面に向かって左側面から見た図面である。図２にてカード収納箱１３の両側には一対の収納スライダ１７、１８が配設されている。収納スライダ１７、１８の中には摺動自在に保持されたカード保持爪１９、２０があり、積層されたカード１４の端部を支えてカード一時保留部８からカード収納部１１へ移動させるために使用される（図１）。
【００２６】
第２の搬送手段９は取り込みスライダ２１の一端に回動自在に支承され、起立ばね２２の圧力により、カード搬送通路３に開口した孔２３を通してカード搬送通路３に突出する（図１）。第３の搬送手段１０を搭載した送り出しスライダ２４と取り込みスライダ２１とは、支点２５を中心に揺動運動する取込アーム２６とそれぞれピン２７、ピン２８を介して連結されている。
【００２７】
次に各種動作の説明をする。
【００２８】
まず、カード収納部１１に収納されているカード１４にデータを書き込んで排出する動作について図１から図９を用いて説明する。
【００２９】
図１においてカード収納部１１にはカード１４が積層収納されているが、搬送手段とは離れているため、このままではカード発行ができない。そのため、通常はカード保持爪１９をカード一時保留部８の方向に寄せ、図３に示す位置に停止させておく。これを待機状態とする。
【００３０】
図１、及び図３と同じ状態を別の方向から示す図２において、収納モータ２９を正転させるとウォーム３０、ウォームホイル３１、ウォームホイル３１と連結された歯車３２、二段歯車３３、切替歯車３４に至るギア列が回転する。この切替歯車３４はアーム３５上に回動自在に取り付けられており、二段歯車３３の回転方向にアーム３５に乗って移動し、第１のクランク歯車３６または第２のクランク歯車３７に噛み合う。よく知られたギアクラッチ構造であり、収納モータ２９の回転方向によって動力伝達先を切り替えることができる。
【００３１】
収納モータ２９正転時は二段歯車３３が時計回りに回転するため、第１のクランク歯車３６に動力が伝達され、スライダークランク機構により送り出しスライダ２４が図２の右方向に動き始める。送り出しスライダ２４に連結された第３の搬送手段１０も図２の上方向に動く。
【００３２】
第３の搬送手段１０はその先端にカード１枚の厚さよりも低い段差を持つため、積層されたカード１４の最もカード一時保留部８に近い側の１枚を右方向に押し出す。カード搬送通路３には、カード１枚の厚さより広く、２枚の厚さよりは狭いシックネスゲージ３８が設けてあるため、必ず１枚のみ押し出され、図４に示す通り、カード１４の先端が第１の搬送手段４にかかる。
【００３３】
この過程で、図９に示すように送り出しスライダ２４の移動量は、取込アーム２６により拡大されて取り込みスライダ２１に伝達される。第２の搬送手段９の移動量も拡大されているため、第２の搬送手段９はカード１４の端面から離れていき、孔２３の端面に当たって図４に示すとおり約９０回転して畳み込まれる。このとき第２の搬送手段９はカード搬送通路３の外に退避しているため、第２の搬送手段９はカード１４を搬送する妨げにはならない。
【００３４】
図４にて搬送モータ３９を反時計方向に回転させると、歯車４０〜４３が順に回転し、歯車４３と軸４４を介して連結されたタイミングプーリ４５が回転する。タイミングプーリ４５によって第１の搬送手段４が送られるため、カード１４は第１の搬送手段４により図５に示すリードライト部７に対向する位置まで送られる。
【００３５】
ここで搬送モータ３９を停止させ、収納モータ２９を逆転させてギアクラッチを切り替え、第２のクランク歯車３７（図２）を駆動して、後述する収納スライダ１７（図１）の駆動機構によりカード保持爪１９を図５の右方向に動かす。これで図６の形になり、第３の搬送手段１０から積層収納されたカード１４が離れるため、第３の搬送手段１０を動かしてもカード１４を傷つける恐れがなくなる。
【００３６】
収納モータ２９を正転させて再度ギアクラッチを切り替え、第１のクランク歯車３６（図２）を駆動して第３の搬送手段１０を待機状態に戻す。これで図７の形になる。さらに再度収納モータ２９を逆転させて収納手段１９を待機状態に戻す。その後、リードライト部７にてカード１４に対するデータの読み取り、書き込みを行う。
【００３７】
客がカード１４を持って他の場所に移る際には、図示しない返却ボタンを押すなどの操作により、それを検知して第１の搬送手段４を駆動し、図８に示すようにカード１４が挿入口２を通して排出される。
【００３８】
次に、挿入されたカードを収納して再使用する過程を図８及び図１０〜図１５を用いて説明する。図８にてカード１４が接客面から挿入口２を通して挿入されたとすると、図示しないセンサでそれを検知して搬送モータ３９を駆動し、第１の搬送手段４を用いてカード１４を引き込み、図１０の位置に止める。ここでリードライト部７とカード１４との通信を行い、データの読み取り、書き込みを行う。
【００３９】
客がカード１４を持って他の場所に移る場合の動作は前述の通りであるが、使用期限が切れたり、予め設定されていた残高がゼロになって、カード１４を引き続き使用しない場合には、図１１に示すように収納モータ２９を逆転させてカード保持爪１９を動かし、カード一時保留部８のスペースを空ける。
【００４０】
次に収納モータ２９を正転させて第２の搬送手段９と第３の搬送手段１０（図１４）を挿入口２側に動かす。ここで図１２及び図１３に示すように、図示しない位置検出センサなどを用いて第１のクランク歯車３６の停止位置を上死点から５°から９０°進んだ位置（図１３の角Ａ）に設定し、第３の搬送手段１０を最も挿入口２寄りの位置からやや図面下側に戻しておく。こうすると、図１４に示すように第１の搬送手段４を用いてカード１４をカード一時保留部８に挿入しても、カード１４の先端が第３の搬送手段１０に衝突することを防止できる。
【００４１】
衝突を緩和するための別の手法として、図２５に示すように送り出しスライダ２４の溝孔６２を部分的に広げ、大きなバックラッシを取ることにより、カード１４が第３の搬送手段１０に衝突しても軽い負荷で逃すことができ、カード１４を保護することができる。
【００４２】
収納モータ２９をさらに正転させて取り込みスライダ２１を図１５の下側に送ると、第２の搬送手段９が孔２３（図２）の縁から外れ、起立ばね２２（図２）の力により、９０°回転してカード搬送路３内に突出し、カード１４の縁を押して完全にカード一時保留部８の領域に入れる。
【００４３】
最後に収納モータ２９を逆転させてカード保持爪１９をカード一時保留部８側に寄せると、図３の初期状態に戻り、以後必要に応じてこのカード１４を再発行に使用することができる。
【００４４】
ここで収納手段１９ａ、２０ａの駆動機構についてその詳細を説明する。収納手段１９ａ、２０ａはカード保持爪１９、２０と、収納スライダ１７とそして、ブロックカム５８とで構成されている。図１６はカード保持爪１９、２０をカード一時保留部８側に寄せた状態を示している。収納モータ２９が逆転して、切替歯車３４が第２のクランク歯車３７に噛み合い、第２のクランク歯車３７とスライダークランク機構でつながるスライダ４６を図１６の上方に送った状態である。
【００４５】
この状態を台間機の奥側から見た図面が図１７である。図１７の上下方向に移動するスライダ４６には、ガイド溝の他に２つの屈曲する溝４７、４８が切ってあり、それぞれ係合ピン４９、５０が挿入されている。スライダ４６が移動すると、係合ピン４９、５０は溝４７、４８に沿って図１７の上下方向に移動する。
【００４６】
図１７は最も左側に振れた状態であり、第２のクランク歯車の回転につれスライダ４６が反対側に移動した状態が図１８になる。このとき係合ピン４９、５０は図１８の最も右側に寄った状態になる。係合ピン４９、５０の運動は、それぞれカード保持爪１９、２０（図１９）を動かす。
【００４７】
対称形状のため係合ピン４９の場合について説明する。図１７の状態での当該機構部を図１と同じ方向からみると、図１９になる。図１９にて筐体１に固定された支点５１、５２を中心に揺動自在に支えられたリンク５３、５４は収納スライダ１７の長孔５５、５６に係合する。また、リンク５３、５４はお互いに支点５７にて回動自在に係合されている。ここで、係合ピンが移動して図１８の状態になると、リンク５３、５４は揺動して収納スライダ１７を図２０に示すように図２０の下方へ平行に移動させる。これを反復して収納スライダ１７を往復平行運動させることができる。
【００４８】
次に収納スライダ１７とカード保持爪１９との関係について説明する。図２１（ａ）は図１９の収納スライダ１７周辺の部分拡大図である。収納スライダ１７に摺動自在に保持されたカード保持爪１９がカード１４を支える部分で断面図にすると図２１（ｂ）となる。この時、カード保持爪１９はカード収納部１１側に突出しており、図２１（ａ）にてブロックカム５８はカム面６０で収納スライダ１７に接しており、カード保持爪１９には接していない。
【００４９】
収納スライダ１７が図２１の下方へ移動し、図１５に相当する位置にあるときの状態が図２２である。図２２（ａ）にてカム面６０は収納スライダ１７から離れ、ばね５９の圧力によりカード保持爪１９に押しつけられる。さらに図２２（ｂ）においてカム面６１も接触寸前の状態でカード保持爪１９に対向している。新たにカード１４がカード一時保留部８に入っているため、収納スライダ１７が図２１の状態に戻るにはカード保持爪１９を一旦カード１４の外形寸法よりも外に退避させることが必要である。
【００５０】
収納スライダ１７が戻り始めた状態を示すのが図２３である。図２３（ｂ）にてブロックカム５８のカム面６１が接触してカード保持爪１９を図の右方向に押している。また、図２３（ａ）ではカム面６０がちょうど接触したところである。
【００５１】
さらに収納スライダ１７が戻ると、図２４の状態になる。図２４（ｂ）にてカム面６１がカード保持爪１９を押してカード１４の外形寸法よりも外に退避させ、図２２で新たに入ってきたカード１４はもともと収納されていた他のカードと積層される。図２４（ａ）でカム面６０が接触してブロックカム５８を図の左方向に押すため、カム面６１がカード保持爪１９から次第に離れて行くことが表されている。
【００５２】
さらに収納スライダ１７が図２４の上方へ移動すると図２１の状態になり、ブロックカム５８がカード保持爪１９から外れてカード保持爪１９は図示しないばねの圧力によりカード１４側へ突出する。
【００５３】
このように構成されたカード発行装置の外観図を図２６に示す。
【００５４】
（実施の形態２）
以下、本発明の実施の形態２におけるカード発行装置について、図面を参照しながら説明する。図２７はカード保持爪６７をカード一時保留部８側に寄せたときの断面図である。収納手段１９ａはカード保持爪６７と、収納スライダ１７とそして、フォークリフト６２で構成されている。フォークリフト６２は軸６６により取付枠１２に回動可能に取付けられている。
【００５５】
次に、収納スライダ１７が右方向に移動したときの状態が図２８である。このとき、カード収納部１１側に突出したカード保持爪６７の爪部６７ａにより積層されたカード１４を移動させ、カード一時保留部８のスペースが生ずる。また、フォークリフト６２に設けられた掛爪６３とカード保持爪６７の後部６７ｂとが当接し、フォークリフト６２は軸６６を中心に時計回りに回動する。
【００５６】
収納スライダ１７が図面に向かって右方向に最も振れ、図１５に相当する位置にあるときの状態が図２９である。このとき、フォークリフト６２の片端に設けられた掛爪６３はカード保持爪６７の後部６７ｂから離れ、ばね６４により元に戻り、カード一時保留部８にスペースが生ずる。次に、このスペースに新たにカード１４が搬送されている。収納スライダ１７が図２７の状態に戻るにはカード保持爪６７を一旦カード１４の外形寸法よりも外側に退避させる必要がある。
【００５７】
収納スライダ１７が左側に戻り始め、フォークリフト６２片端に設けられたカム面６５がカード保持爪６７に設けられたカム面６７ｃと当接したときの状態が図３０である。このときカード保持爪６７はカム面６５に沿って、図に向かって上方向、つまりカード収納部１１から退出する方向に移動する。
【００５８】
カード保持爪６７がカード収納部１１から最も退出した状態が図３１である。このようにカード保持爪６７はカード１４に接することなくカム機構により退避することができる。
【００５９】
さらに収納スライダ１７が図に向かって左方向へ移動し、フォークリフト６２および、カード保持爪６７が外れた状態を図３２に示す。このとき、カード保持爪６７は図示しないばねの圧力によりカード収納部１１側へ突出し、元の位置に戻る。
【００６０】
【発明の効果】
以上のように本発明のカード発行装置は、カード収納部と、このカード収納部に接して平行に配置されたカード一時保留部と、このカード一時保留部に収納されたカードを前記カード収納部に移動させる収納手段と、前記カード一時保留部の延長線上に隣接して配置され、カードに対して書き込みと読み取りを行うリードライト部と、このリードライト部に対してカードを挿入排出するための挿入口と、カードを搬送する搬送手段とを同一筐体内に配置して成り、前記カード収納部は前記収納されたカードを前記カード一時保留部側に押圧する押圧手段を備えたものであり、押圧手段を有しているので、縦型に配置される遊技機台間に適合し、実用上十分な枚数のカードを安定した状態で収納し（厚さ０．７６ｍｍのカードの場合１５枚から２０枚が収納可能）新規発行に供すると共に、さらに挿入されたカードを再利用することが可能である。
【図面の簡単な説明】
【図１】本発明の一実施の形態におけるカード発行装置の取付上面から見た概略構造図
【図２】同、側面から見た概略構造図
【図３】本発明の一実施の形態におけるカード発行装置の作用状態１を示す概略構造図
【図４】同、作用状態２を示す概略構造図
【図５】同、作用状態３を示す概略構造図
【図６】同、作用状態４を示す概略構造図
【図７】同、作用状態５を示す概略構造図
【図８】同、作用状態６を示す概略構造図
【図９】同、作用状態２を示す側面から見た概略構造図
【図１０】同、作用状態７を示す概略構造図
【図１１】同、作用状態８を示す概略構造図
【図１２】同、作用状態９を示す概略構造図
【図１３】同、作用状態９を示す側面から見た概略構造図
【図１４】同、作用状態１０を示す概略構造図
【図１５】同、作用状態１１を示す概略構造図
【図１６】同、作用状態７を示す側面から見た部分構造図
【図１７】同、作用状態７を示す後面から見た概略構造図
【図１８】同、作用状態８を示す後面から見た概略構造図
【図１９】同、作用状態７を示す上面から見た部分構造図
【図２０】同、作用状態８を示す上面から見た部分構造図
【図２１】（ａ）同、作用状態７の詳細を示す上面から見た部分構造図
（ｂ）同、作用状態７の詳細を示す部分断面図（（ａ）のＡ−Ａ断面図）
【図２２】（ａ）同、作用状態１１の詳細を示す上面から見た部分構造図
（ｂ）同、作用状態１１の詳細を示す部分断面図（（ａ）のＡ−Ａ断面図）
【図２３】（ａ）同、作用状態１２の詳細を示す上面から見た部分構造図
（ｂ）同、作用状態１２の詳細を示す部分断面図（（ａ）のＡ−Ａ断面図）
【図２４】（ａ）同、作用状態１３の詳細を示す上面から見た部分構造図
（ｂ）同、作用状態１３の詳細を示す部分断面図（（ａ）のＡ−Ａ断面図）
【図２５】本発明の別実施の形態におけるカード発行装置の作用を示す側面から見た概略構造図
【図２６】本発明の一実施の形態におけるカード発行装置の外観斜視図
【図２７】本発明の実施の形態２におけるカード発行装置の収納手段の第１の状態を示す要部断面図
【図２８】同、第２の状態を示す要部断面図
【図２９】同、第３の状態を示す要部断面図
【図３０】同、第４の状態を示す要部断面図
【図３１】同、第５の状態を示す要部断面図
【図３２】同、第６の状態を示す要部断面図
【符号の説明】
１  筐体
２  挿入口
４  第１の搬送手段
７  リードライト部
８  カード一時保留部
９  第２の搬送手段
１０  第３の搬送手段
１１  カード収納部
１５  押圧手段
１９  カード保持爪
【図１】
0003832176.tif 000002
【図２】
0003832176.tif 000003
【図３】
0003832176.tif 000004
【図４】
0003832176.tif 000005
【図５】
0003832176.tif 000006
【図６】
0003832176.tif 000007
【図７】
0003832176.tif 000008
【図８】
0003832176.tif 000009
【図９】
0003832176.tif 000010
【図１０】
0003832176.tif 000011
【図１１】
0003832176.tif 000012
【図１２】
0003832176.tif 000013
【図１３】
0003832176.tif 000014
【図１４】
0003832176.tif 000015
【図１５】
0003832176.tif 000016
【図１６】
0003832176.tif 000017
【図１７】
0003832176.tif 000018
【図１８】
0003832176.tif 000019
【図１９】
0003832176.tif 000020
【図２０】
0003832176.tif 000021
【図２１】
0003832176.tif 000022
【図２２】
0003832176.tif 000023
【図２３】
0003832176.tif 000024
【図２４】
0003832176.tif 000025
【図２５】
0003832176.tif 000026
【図２６】
0003832176.tif 000027
【図２７】
0003832176.tif 000028
【図２８】
0003832176.tif 000029
【図２９】
0003832176.tif 000030
【図３０】
0003832176.tif 000031
【図３１】
0003832176.tif 000032
【図３２】
0003832176.tif 000033